(57)【特許請求の範囲】
【請求項１】
透明板を有して展示スペースの前方の開口部を左右方向に略面一状態で閉塞する複数枚の扉体と、少なくとも１枚の扉体を前後方向に移動可能に支持する前後移動支持手段と、該扉体を左右方向に移動可能に支持する左右移動支持手段と、を備え、前記少なくとも１枚の扉体を前記略面一状態から前方に移動させた状態で、該扉体を左右方向に移動させることにより前記開口部を開放させる展示ケースであって、
前記左右移動支持手段は、前記開口部の縁部に設けられた左右長手の支持フレームと、該支持フレームの前面に枢着されるローラと、前記透明板の縁部に設けられて後面側に左右長手のガイド溝部が形成されたガイドレールと、を有し、前記ローラが前記ガイド溝部内で転動されることにより前記ガイドレールが左右方向に移動可能となっており、かつ前記ローラは、前記支持フレームに対して左右方向に所定間隔毎に設けられた複数の配置箇所に設けられ、少なくとも１つの配置箇所には、複数個のローラが連設され、該連設された複数個のローラのうち、少なくとも１個のローラが上下動可能に前記支持フレームに設けられることを特徴とする展示ケース。
【請求項２】
前記連設された複数個のローラは、前記支持フレームの前面に揺動可能に枢着された揺動板に連設されることを特徴とする請求項１に記載の展示ケース。
【請求項３】
前記連設された複数個のローラは、前記支持フレームにおける前記扉体の開放方向側の端部の配置箇所に設けられることを特徴とする請求項１または２に記載の展示ケース。
【請求項４】
前記左右移動支持手段は、前記扉体の上縁部及び下縁部に設けられ、少なくとも上縁部側の左右移動支持手段が前記連設された複数個のローラを有していることを特徴とする請求項１ないし３のいずれかに記載の展示ケース。
【発明の詳細な説明】
【技術分野】
【０００１】
本発明は、博物館や美術館等に設置される作り付けの展示ケースに関する。
【背景技術】
【０００２】
従来、博物館や美術館等の設置される作り付けの展示ケースでは、ガラス板の扉によりケース本体の開口部を閉塞するようになっており、この開口部を開放する際には、電動駆動手段により扉を前方に移動させた後に、手作業により扉を左右方向に移動させてケース本体の開口部を開放させるようになっている。そして、このような展示ケースには、後面側に開口した左右長手の嵌合溝を有するガイドレールが扉の上縁及び下縁に設けられるとともに、このガイドレールの嵌合溝内に配置される複数個の垂直転動コロが支持枠に設けられ、この垂直転動コロによりガイドレールを左右方向に摺動可能に支持することで、扉を左右方向に移動可能にしている（例えば、特許文献１参照）。
【先行技術文献】
【特許文献】
【０００３】
【特許文献１】特許第３４６９５２６号公報（第３頁、第１，３図）
【発明の概要】
【発明が解決しようとする課題】
【０００４】
しかしながら、特許文献１に記載の展示ケースにあっては、扉を左右方向に移動させると、垂直転動コロ（ローラ）がガイドレールの嵌合溝（溝部）から外れて行き、ガイドレールを支持する垂直転動コロの個数が減って行くようになり、その際にガイドレールに加わる荷重が大きくなり、ガイドレールにおける垂直転動コロが摺動される摺動面が変形してしまい、扉の左右方向の移動がスムーズに行えなくなるという問題がある。
【０００５】
本発明は、このような問題点に着目してなされたもので、扉体を大きく開放させる際に、扉体の左右方向の移動をスムーズに行うことができる展示ケースを提供することを目的とする。
【課題を解決するための手段】
【０００６】
前記課題を解決するために、本発明の展示ケースは、
透明板を有して展示スペースの前方の開口部を左右方向に略面一状態で閉塞する複数枚の扉体と、少なくとも１枚の扉体を前後方向に移動可能に支持する前後移動支持手段と、該扉体を左右方向に移動可能に支持する左右移動支持手段と、を備え、前記少なくとも１枚の扉体を前記略面一状態から前方に移動させた状態で、該扉体を左右方向に移動させることにより前記開口部を開放させる展示ケースであって、
前記左右移動支持手段は、前記開口部の縁部に設けられた左右長手の支持フレームと、該支持フレームの前面に枢着されるローラと、前記透明板の縁部に設けられて後面側に左右長手のガイド溝部が形成されたガイドレールと、を有し、前記ローラが前記ガイド溝部内で転動されることにより前記ガイドレールが左右方向に移動可能となっており、かつ前記ローラは、前記支持フレームに対して左右方向に所定間隔毎に設けられた複数の配置箇所に設けられ、少なくとも１つの配置箇所には、複数個のローラが連設され、該連設された複数個のローラのうち、少なくとも１個のローラが上下動可能に前記支持フレームに設けられることを特徴としている。
この特徴によれば、扉体は、その透明板の縁部のガイドレールのガイド溝部内で転動されるローラにより左右方向に移動可能になっており、かつ支持フレームに対して左右方向に所定間隔毎に設けられた複数の配置箇所に設けられたローラにより、それぞれの配置箇所のローラが扉体の荷重を分散して支持しつつ、扉体を大きく開放させる際に、少なくとも１つの配置箇所に荷重が集中して加わっても、連設された複数個のローラによって、その配置箇所に加わる荷重を分散して支持できるようになり、ガイドレールの変形を防ぎ、扉体の左右方向の移動をスムーズに行うことができる。また扉体を大きく開放させるとその重心位置がローラの配置位置から外れてしまい、扉体のガイドレールは、その開放方向側が下がるように傾くようになるが、この傾きに追従して連設された複数個のローラのうち、少なくとも１個のローラが上下動されるため、上下動されたローラにより傾いたガイドレールを案内して扉体の左右方向の移動をスムーズに行うことができる。
【０００８】
本発明の展示ケースは、
前記連設された複数個のローラは、前記支持フレームの前面に揺動可能に枢着された揺動板に連設されることを特徴としている。
この特徴によれば、揺動板を用いて複数個のローラが一体的に揺動されるため、揺動された複数個のローラにより傾いたガイドレールを案内して扉体の左右方向の移動をスムーズに行うことができる。
【０００９】
本発明の展示ケースは、
前記連設された複数個のローラは、前記支持フレームにおける前記扉体の開放方向側の端部の配置箇所に設けられることを特徴としている。
この特徴によれば、扉体を開放させる際には、支持フレームにおける扉体の開放方向側の端部の配置箇所のローラに、扉体の荷重が最も加わり易くなっており、この配置箇所のローラを複数個にして、ガイドレールにおけるローラが摺動される摺動面に加わる荷重を分散させることができる。
【００１０】
本発明の展示ケースは、
前記左右移動支持手段は、前記扉体の上縁部及び下縁部に設けられ、少なくとも上縁部側の左右移動支持手段が前記連設された複数個のローラを有していることを特徴としている。
この特徴によれば、上縁部及び下縁部の両左右移動支持手段により扉体の荷重が分散されて各ローラに加わるようになり、かつ扉体が吊り下げられて、その荷重が加わり易くなっている上縁部側の左右移動支持手段が有する連設された複数個のローラにより、扉体の左右方向の移動をスムーズに行うことができる。
【図面の簡単な説明】
【００１１】
【図１】実施例における展示ケースを示す正面図である。
【図２】展示ケースの上部及び下部の扉駆動装置を示す縦断正面図である。
【図３】上部の扉駆動装置を示す平面図である。
【図４】後方位置にある扉体及び扉駆動装置の状態を示す縦断側面図である。
【図５】前方位置にある扉体及び扉駆動装置の状態を示す縦断側面図である。
【図６】３連ローラの取付部を示す斜視図である。
【図７】３連ローラの取付部を示す平面図である。
【図８】３連ローラの取付部を示す正面図である。
【図９】閉塞時の扉体と３連ローラの状態を示す概念図である。
【図１０】開放時の扉体と３連ローラの状態を示す概念図である。
【発明を実施するための形態】
【００１２】
本発明に係る展示ケースを実施するための形態を実施例に基づいて以下に説明する。
【実施例】
【００１３】
実施例に係る展示ケースにつき、図１から図５を参照して説明する。以下、図１及び図２の紙面手前側を展示ケースの正面側（前方側）とし、図３の紙面下側を展示ケースの正面側（前方側）とし、図４及び図５の紙面左側を正面側（前方側）として説明する。
【００１４】
図１の符号１は、主に美術館や博物館等に設置される作り付けの展示ケースである。この展示ケース１は、その内部に大型の展示品２を展示できるようになっており、その後面側が室内の壁面に当接するように設置され、この展示ケース１内の展示スペース３に配置された展示品２を、鑑賞者４が展示ケース１の前方から鑑賞できるようになっている。
【００１５】
図１に示すように、展示ケース１は、前方が開口する略箱型形状に形成されている。この展示ケース１は、前方の開口部５を閉塞する３枚の扉体６が左右方向に並設されている。各扉体６は、本発明における透明板としての透明なガラスパネル７と、ガラスパネル７の上下の後面に接着されたガイドレール８と、ガイドレール８を前後移動可能に支持する前後動フレーム９と、を有している。
【００１６】
また、扉体６が閉塞しているときには、複数の扉体６が略面一状態に配置されるようになっている。また、各扉体６は、扉体６同士の隙間を塞ぐパッキン１０を有しており、扉体６が閉塞しているときには、展示ケース１内部が密閉された状態となっている。
【００１７】
尚、後述するように、扉体６が略面一状態から前方に移動されて、前方位置に配置されているときには、左の扉体６は右方に、右の扉体６は左方に、中央の扉体６は左右両方向に使用者の手動作業により移動させることができる。
【００１８】
図４に示すように、展示ケース１の開口部５の上部には、左右方向に延設された上部フレーム１１が設けられるとともに、開口部５の下部には、左右方向に延設された下部フレーム１２が設けられている。特に図示はしないが、上部フレーム１１と下部フレーム１２とを連結する左右位置に配置された左右フレーム（図示略）が設けられており、これらの開口部５の周囲に配置されるフレーム１１，１２によって支持枠が構成されている。
【００１９】
図２に示すように、上部フレーム１１と下部フレーム１２のそれぞれには、扉体６を前後方向に移動させるための本発明における電動駆動手段としての扉駆動装置１３が取り付けられている。また、扉体６の上下には、幕板１４が手前方向に開放可能に取り付けられており、扉駆動装置１３が外側から見えないようになっている（図４参照）。
【００２０】
扉体６の上下のガイドレール８及び上下の扉駆動装置１３は、その構成を上下反転させた上下対称の略同一構成となっているので、上部側のガイドレール８及び扉駆動装置１３について説明し、下部側のガイドレール８及び扉駆動装置１３の説明を省略する。
【００２１】
先ず、図４に示すように、扉体６の上部側のガイドレール８は、側面視で略Ｅ字形状をなしており、後方側に開口された上下２つのガイド溝部１５，１６が形成されている。尚、上下２つのガイド溝部１５，１６のうち、下方のガイド溝部１６はあり溝となっている。ガイドレール８の後方には、本発明における支持フレームとしての前後動フレーム９が設けられている。尚、この前後動フレーム９の後方には照明器具（図示略）等が配置される。
【００２２】
図２に示すように、前後動フレーム９の前面には、複数の配置箇所に回転軸が前後方向を向くローラ１７（カムフォロア）が枢着されている。このローラ１７によってガイドレール８が左右方向に移動可能に支持されるとともに、ローラ１７がガイドレール８のガイド溝部１６内で転動することにより扉体６が左右方向に移動可能になっている。尚、前後動フレーム９と、この前後動フレーム９の前面のローラ１７と、ローラ１７により支持されるガイドレール８とにより本発明の左右移動支持手段が構成される。
【００２３】
ローラ１７は、１つの前後動フレーム９における略所定間隔毎に設けられた４つの配置箇所に配置されている。尚、中央の前後動フレーム９の両端の配置箇所と、右の前後動フレーム９の左端の配置箇所と、左の前後動フレーム９の右端の配置箇所には、それぞれ３個のローラ１７が連設された３連ローラ１８設けられている。
【００２４】
つまり前後動フレーム９における扉体６を開放させる際に、その扉体６が移動する開放方向（移動方向）の端部の配置箇所に３連ローラ１８が設けられている。この３連ローラ１８により扉体６が開放された際にガイドレール８及び各ローラ１７に掛かる力が分散されるようになっている。尚、３連ローラ１８は上下に配置された前後動フレーム９のうち、上方側の前後動フレーム９のみに設けられている。
【００２５】
前後動フレーム９には、ローラ１７が配置された位置よりも若干上方側にストッパー１９が取り付けられている。このストッパー１９は、ガイドレール８における上のガイド溝部１５に遊嵌されており、このガイド溝部１５の内部には、扉体６が開放される際にストッパー１９に当たる突出部２０が形成されている。このストッパー１９の取り付け位置により扉体６の開口率が規定される。尚、本実施例では、扉体６の開口率が５０％以上となっている。
【００２６】
図２に示すように、前後動フレーム９の上面には、正面視で略Ｌ字形状をなす複数のローラ固定部材２１が取り付けられている。尚、前後動フレーム９の左端には、一対のローラ固定部材２１が対向するように配置されている。ローラ固定部材２１には、回転軸が左右方向を向くローラ２２（カムフォロア）が枢着されている。
【００２７】
上部フレーム１１には、ローラ２２を前後方向に摺動可能に支持する固定レール２３が固着されている。ローラ２２とともに、ローラ固定部材２１及び前後動フレーム９は、前後方向に自在に移動可能となっている。尚、固定レール２３に前後移動可能に支持されるローラ２２と、このローラ２２を固定するローラ固定部材２１と、前後動フレーム９とにより本発明における前後移動支持手段を構成している。
【００２８】
図２に示すように、前後動フレーム９の上面には、左右に２枚の摺動プレート２４が固定されている。左右の摺動プレート２４の上方には、ネジ軸２５がそれぞれ１本ずつ左右方向に延設されており、このネジ軸２５は、その両端に取り付けられた２つのネジ軸支持部材２６を介して上部フレーム１１に固定されている。
【００２９】
また、それぞれのネジ軸２５には、２つのネジ軸支持部材２６の間を移動する移動部材２７が取り付けられている。尚、移動部材２７の内側には、ネジ軸２５と螺合するネジ溝が形成されており、ネジ軸２５の回転とともに移動部材２７が左右方向に移動されるようになっている。移動部材２７には、その下方にピン２８が取り付けられており、このピン２８の先端部は、摺動プレート２４に設けられた摺動溝２９に係合されている。
【００３０】
図３に示すように、摺動プレート２４の摺動溝２９は、平面視において後方から前方に向かって斜め方向に延びるように穿設されている。尚、左右の摺動プレート２４の摺動溝２９は、それぞれ左右対称に形成されている。
【００３１】
また、ネジ軸２５の後方には、ネジ軸２５と平行してシャフト３０が延設されており、このシャフト３０には、移動部材２７と接続され、かつ移動部材２７を案内するリニアブッシュ３２が取り付けられている。
【００３２】
左右の摺動プレート２４にそれぞれ対応したネジ軸２５のネジ溝は、互いに逆向きに螺設されている。左右のネジ軸２５は、シャフト３１を介して連結している。更に、右側のネジ軸２５の右端部には、ネジ軸２５を駆動回転させる電動モータ３３が連結されており、左側のネジ軸２５の左端部には、ネジ軸２５を手動で回転させることができる手動駆動ボックス３４（手動駆動手段）が連結されている。尚、電動モータ３３は、本発明における制御手段としての制御装置（図示略）によって制御される。
【００３３】
図２及び図３に示すように、上部フレーム１１には、扉体６の前後位置を検出するためのリミットスイッチ３５が設けられている。このリミットスイッチ３５は、左右２つで１組のスイッチとなっており、右側のネジ軸２５の近傍に配置され、制御装置（図示略）に接続されている。
【００３４】
この左右に配置されたリミットスイッチ３５のうち、どちらかのリミットスイッチ３５が移動部材２７を検出するようになっており、一方のリミットスイッチ３５が移動部材２７を検出した場合には、扉体６が後方位置にあることを示し、他方のリミットスイッチ３５が移動部材２７を検出した場合には、扉体６が前方位置にあることを示している。制御装置（図示略）は、リミットスイッチ３５による移動部材２７の検出に基づいて、扉体６の前後位置を把握し、電動モータ３３の駆動を制御している。
【００３５】
展示ケース１の側部には、扉駆動装置１３の電動モータ３３を制御する制御装置（図示略）を有する扉駆動装置制御ボックス３６が取り付けられている。使用者は、扉駆動装置制御ボックス３６に設けられた各扉体６に対応した開ボタン及び閉ボタン（図示略）を操作することによって各扉体６の前後移動を行うことができるようになっている。
【００３６】
尚、開ボタンと閉ボタンは電動モータ３３を駆動させるボタンであり、開ボタンが押されたときにネジ軸２５が正回転され、閉ボタンが押されたときにネジ軸２５が逆回転されるようになっている。
【００３７】
以下、中央の扉体６の開閉動作について説明する。左右の扉体６の開閉については、中央の扉体６の開閉動作と同様であるため、重複する説明を省略する。
【００３８】
先ず、図４及び図５に示すように、扉体６が開放される際には、扉体６を電動モータ３３により前方に所定距離移動した後に、手動作業により左右方向に移動させることにより扉体６は開放される。尚、ここで所定距離とは、扉体６の厚みを超える程度の距離である。また、扉体６が後方に移動された位置を後方位置とし、扉体６が前方に移動された位置を前方位置とし、扉体６が後方位置にあり閉塞しているときと、その中心を同じくする扉体６の配置位置を閉塞可能位置として説明する。
【００３９】
扉体６が後方位置にあるときには、右側のネジ軸２５に設けられた移動部材２７が右端位置に配置され、左側のネジ軸２５に設けられた移動部材２７が左端位置に配置されている（図２、図３参照）。また、前後動フレーム９の上方に設けられたローラ２２は、固定レール２３の後方位置に配置している（図４参照）。
【００４０】
使用者が扉駆動装置制御ボックス３６内の開ボタンを押すと、上下の電動モータ３３が駆動してネジ軸２５が回転する。左右のネジ軸２５は、それぞれ逆向きのネジ溝が形成されているため、ネジ軸２５は同じ方向に回転するが、左右のネジ軸２５の回転とともに、右の移動部材２７は左方に移動し、左の移動部材２７は右方に移動する。
【００４１】
図３に示すように、移動部材２７とリニアブッシュ３２とが接続されているため、移動部材２７とともにリニアブッシュ３２も同方向に移動する。尚、移動部材２７にリニアブッシュ３２が接続されていることにより、ネジ軸２５の回転とともに移動部材２７が回転してしまうのを防止することができる。
【００４２】
移動部材２７に取り付けられているピン２８は、摺動プレート２４の摺動溝２９に嵌合しており、移動部材２７及びピン２８の移動とともに、摺動プレート２４が前方に移動する。摺動プレート２４は、扉体６に接着されたガイドレール８の上面に固定されているため、摺動プレート２４が前方に移動することにより前後動フレーム９が前方位置まで移動される（図５参照）。
【００４３】
また、前後動フレーム９が前方に移動されるに伴い、扉体６が前方位置に移動される。尚、前後動フレーム９が移動される際には、ローラ２２は、固定レール２３の後方から前方に移動して、前方に移動される扉体６が支持される。
【００４４】
ネジ軸２５の回転駆動により移動部材２７が移動されて、左側のリミットスイッチ３５が移動部材２７を感知すると、制御装置（図示略）は、扉体６が前方位置まで移動したと判断し、電動モータ３３を停止させる。このとき扉体６は、前方位置に配置され、前後移動した扉体６の後面は、隣接する左右の扉体６の前面よりも前方に配置されており、扉体６を左右に移動できる状態になる。
【００４５】
そして、扉体６の左右方向の移動は手動作業により行われる。例えば、前方位置にある中央の扉体６が左方向に開放されると、扉体６の移動とともに、前後動フレーム９に取り付けられたローラ１７がガイドレール８のガイド溝部１６内で転動される。
【００４６】
更に、扉体６が移動されると、ガイドレール８の後方に取り付けられた突出部２０が、前後動フレーム９の前部に取り付けられたストッパー１９に当接したところで扉体６の移動が規制される。そして、扉体６が開放された状態で、展示スペース３に対して展示品２の出し入れを行うことができる。
【００４７】
尚、本実施例では、扉体６は、５０％以上の開口率で開放された位置で、ガイドレール８の突出部２０が前後動フレーム９のストッパー１９に当接される。尚、左右の扉体６は左右のいずれか一方向にのみ開放される。そのため左右の扉体６のストッパー１９及び突出部２０は上部にのみ取り付けられている。
【００４８】
また、中央の扉体６は左右両方向に開放されるため、左開放時に当接するストッパー１９と突出部２０は下部に、右開放時に当接するストッパー１９と突出部２０は上部に取り付けられ、使い分けされるように設置されている。
【００４９】
次に、中央の扉体６が後方位置に移動される動きについて説明する。中央の扉体６が左方向に開放された場合は、使用者が右方向に手動で移動して閉塞可能位置に戻し、使用者が扉駆動装置制御ボックス３６の閉ボタン（図示略）を押す。すると、上下の電動モータ３３が駆動して、開ボタンを押したときと逆向きにネジ軸２５が回転する。左右のネジ軸２５の回転とともに、右のネジ軸２５に取り付けられた移動部材２７は右方に移動し、左のネジ軸２５に取り付けられた移動部材２７は左方に移動する。
【００５０】
移動部材２７とともにリニアブッシュ３２も同方向に移動し、移動部材２７とピン２８が移動するとともに、ピン２８に摺動溝２９が係合された摺動プレート２４が後方に移動される。摺動プレート２４が後方に移動されることにより、前後動フレーム９が後方に移動される（図４参照）。
【００５１】
また、前後動フレーム９が後方に移動されに伴い、扉体６が後方位置に移動される。
尚、前後動フレーム９が移動される際には、ローラ２２は、固定レール２３の前方から後方に移動して、後方に移動される扉体６が支持される。
【００５２】
ネジ軸２５の回転駆動により移動部材２７が移動されて、右側のリミットスイッチ３５が移動部材２７を感知すると、制御装置（図示略）は、扉体６が後方位置まで移動したと判断し、電動モータ３３を停止させる。
【００５３】
次に、前述した３連ローラ１８について詳述すると、図６に示すように、前後動フレーム９の端部の配置箇所には、３つの孔部３７が形成されている。尚、左右両側２箇所の孔部３７の内径は、スペーサ５６の直径よりも若干大きく形成されている。３つの孔部４０が形成された揺動板４１の中央の孔部４０には、ドーナツ型のメタルブッシュ３９が取り付けられ、左右の孔部４０には、スペーサ５６が取り付けられている。
【００５４】
中央のローラ１７のロッド部３８は、メタルブッシュ３９を介して前後動フレーム９に挿通され、左右のローラ１７のロッド部３８は、スペーサ５６を介して前後動フレーム９に挿通され、３つのローラ１７が連設されて３連ローラ１８を形成している。更に、３つのローラ１７のロッド部３８には、前後動フレーム９の後面側に配置されるナット４２が螺合される。
【００５５】
図７に示すように、中央のローラ１７のロッド部３８と揺動板４１の孔部４０の内周面との間に、メタルブッシュ３９が配置され、ローラ１７がぐらつかないようになっている。また、左右のローラ１７のロッド部３８がスペーサ５６に挿入されており、スペーサ５６の外周面と前後動フレーム９の孔部３７の内周面との間は、若干の隙間がある状態となっている。スペーサ５６は、前後動フレーム９の後面より若干出る長さにしてあり、ナット４２が前後動フレーム９を締め付けないようになっている。
【００５６】
図８に示すように、３連ローラ１８の中央のローラ１７は、メタルブッシュ３９により上下方向に移動不能になっているとともに、左右のローラ１７は、スペーサ５６の外周面と前後動フレーム９の孔部３７の内周面との隙間により上下方向に移動可能になっている。そして、左右のローラ１７は、揺動板４１により連結されているので、中央のローラ１８を中心に揺動されるようになっている。
【００５７】
図９に示すように、扉体６が閉塞しているときには、扉体６及びガイドレール８は水平に保たれているため、各ローラ１７には、ほぼ等しく荷重が掛かっている。
【００５８】
図１０に示すように、中央の扉体６が左方向に５０％以上開放された場合には、扉体６の重心位置が右側のローラ１７から外れ、扉体６の荷重が左半分に配置されたローラ１７に掛かるようになり、扉体６のガイドレール８は、開放方向（移動方向）の端部側である左側が下がるように傾くようになる。一方、この傾きに追従して、前後動フレーム９の左端側に配置された３連ローラ１８が揺動板４１によって、中央のローラ１７を軸として揺動され、３連ローラ１８のうち、左のローラ１７は下方側に、右のローラ１７は上方側に移動される。
【００５９】
このように揺動板４１によって３連ローラ１８の各ローラ１７が一体的に揺動されるため、ガイドレール８には少なくとも２つ以上のローラ１７が接する。更に、扉体６の荷重が最も加わり易い前後動フレーム９における左端部に３連ローラ１８が配置されていることにより、ガイドレール８に加わる荷重を分散させることができる。また、揺動されたローラ１７により傾いたガイドレール８を案内して、扉体６を左右方向にスムーズに移動させることができる。
【００６０】
また、ローラ１７は上下の前後動フレーム９に設けられ、かつ上部の前後動フレーム９の端部に３連ローラ１８が配置されていることにより、扉体６の荷重が分散されて各ローラ１７に加わり、扉体６が吊下げられてその荷重が加わり易くなっている上部側前後動フレーム９が有する３連ローラ１８により、扉体６の左右方向の移動をスムーズに行うことができる。
【００６１】
また、扉体６を開放した際に扉体６に加わる荷重を支えるためには、前後動フレーム９を厚くしたり、ローラ１７を大型化する方法が考えられるが、本発明のように３連ローラ１８を用いることによりその必要がなくなる。また、同径のローラ１７を３つ連設させて荷重が支えられるようにしているため、使用するローラ１７は一種類のみで済むようになる。
【００６２】
以上、本実施例における展示ケース１は、開口部５の縁部に設けられた左右長手の前後動フレーム９と、前後動フレーム９の前面に枢着されるローラ１７と、ガラスパネル７の縁部に設けられて後面側に左右長手のガイド溝部１５，１６が形成されたガイドレール８と、を有し、ローラ１７がガイド溝部１６内で転動されることによりガイドレール８が左右方向に移動可能となっており、かつローラ１７は、前後動フレーム９に対して左右方向に所定間隔毎に設けられた複数の配置箇所に設けられ、少なくとも１つの配置箇所には、複数個のローラ１７が連設されることで、扉体６は、そのガラスパネル７の縁部のガイドレール８のガイド溝部１６内で転動されるローラ１７により左右方向に移動可能になっており、かつ前後動フレーム９に対して左右方向に所定間隔毎に設けられた複数の配置箇所に設けられたローラ１７により、それぞれの配置箇所のローラ１７が扉体６の荷重を分散して支持しつつ、扉体６を大きく開放させる際に、少なくとも１つの配置箇所に荷重が集中して加わっても、連設された複数個のローラ１７によって、その配置箇所に加わる荷重を分散して支持できるようになり、扉体６の左右方向の移動をスムーズに行うことができる。
【００６３】
また、連設された複数個のローラ１７のうち、少なくとも１個のローラ１７が上下動可能に前後動フレーム９に設けられることで、扉体６を大きく開放させるとその重心位置がローラ１７の配置位置から外れてしまい、扉体６のガイドレール８は、その開放方向側が下がるように傾くようになるが、この傾きに追従して連設された複数個のローラ１７のうち、少なくとも１個のローラ１７が上下動されるため、上下動されたローラ１７により傾いたガイドレール８を案内して扉体６の左右方向の移動をスムーズに行うことができる。
【００６４】
また、連設された複数個のローラ１７は、前後動フレーム９の前面に揺動可能に枢着された揺動板４１に連設されることで、揺動板４１を用いて複数個のローラ１７が一体的に揺動されるため、揺動された複数個のローラ１７により傾いたガイドレール８を案内して扉体６の左右方向の移動をスムーズに行うことができる。
【００６５】
また、連設された複数個のローラ１７は、前後動フレーム９における扉体６の開放方向側の端部の配置箇所に設けられることで、扉体６を開放させる際には、前後動フレーム９における扉体６の開放方向側の端部の配置箇所のローラ１７に、扉体６の荷重が最も加わり易くなっており、この配置箇所のローラ１７を複数個にして、ガイドレールにおけるローラが摺動される摺動面に加わる荷重を分散させることができる。
【００６６】
また、前後動フレーム９は、扉体６の上縁部及び下縁部に設けられ、少なくとも上縁部側の前後動フレーム９が連設された複数個のローラ１７を有していることで、上縁部及び下縁部の両前後動フレーム９により扉体６の荷重が分散されて各ローラ１７に加わるようになり、かつ扉体６が吊り下げられて、その荷重が加わり易くなっている上縁部側の前後動フレーム９が有する連設された複数個のローラ１７により、扉体６の左右方向の移動をスムーズに行うことができる。
【００６７】
以上、本発明の実施例を図面により説明してきたが、具体的な構成はこれら実施例に限られるものではなく、本発明の要旨を逸脱しない範囲における変更や追加があっても本発明に含まれる。
【００６８】
例えば、前記実施例では、３枚の扉体６を左右方向に並設して展示ケース１の開口部５を閉塞しているが、１枚または４枚以上の枚数の扉体６を左右方向に並設して開口部５を閉塞するようにしてもよい。更に、扉体６を４枚以上で構成した場合には、その中央の２枚の扉体６をそれぞれ逆方向に開放させることで、より大きな開口とすることができる。
【００６９】
また、前記実施例では、前後動フレーム９の前面における複数の配置箇所に、ローラ１７が枢着され、そのうち、前後動フレーム９の前面における端部側の配置箇所に、それぞれ３個のローラ１７が連設された３連ローラ１８が設けられているが、３連ローラ１８は、前後動フレーム９の前面における端部側の配置箇所に限ることなく、前後動フレーム９の前面における中央部などにあってもよい。尚、前後動フレーム９の前面における全ての配置箇所に３連ローラ１８を設けるようにしてもよい。
【００７０】
また、前記実施例では、３連ローラ１８を形成する各ローラ１７が、揺動板４１により連結されているが、各ローラ１７を揺動板４１により連結せずに、それぞれのローラ１７が別々に上下動されるようにしてもよい。
【符号の説明】
【００７１】
１                展示ケース
３                展示スペース
５                開口部
６                扉体
７                ガラスパネル（透明板）
８                ガイドレール
９                前後動フレーム（支持フレーム）
１５，１６        ガイド溝部
１７              ローラ（カムフォロア）
１８              ３連ローラ
３３              電動モータ
４１              揺動板
【図１】
0005501704.tif 000002
【図２】
0005501704.tif 000003
【図３】
0005501704.tif 000004
【図４】
0005501704.tif 000005
【図５】
0005501704.tif 000006
【図６】
0005501704.tif 000007
【図７】
0005501704.tif 000008
【図８】
0005501704.tif 000009
【図９】
0005501704.tif 000010
【図１０】
0005501704.tif 000011